(57)【特許請求の範囲】
【請求項１】
再生された暗号化情報信号を受信するために配設され、ある使用認証が利用可能である場合に、再生された暗号化情報信号を正しく復号するために適切な鍵情報を供給する照合手段と、
鍵情報を受信するために配設され、適切な鍵情報が利用可能である場合に、再生された暗号化情報信号を復号する復号手段とを有する装置であって、
独立して使用認証を要求するための尋問手段を装備され、
前記尋問手段が、コミュニケーション手段を含み、そのコミュニケーション手段が、再生された暗号化情報信号のための使用認証が存在しない場合に、上記コミュニケーション手段と、少なくとも一つの使用認証割り当てデバイスとの間に、一つのデータリンクをセットアップし、かつ
上記コミュニケーション手段が、上記データリンクを経由して、上記使用認証割り当てデバイスへ使用認証要求情報を供給し、又上記使用認証割り当てデバイスから、再生された暗号化情報信号のための使用認証を受信することを特徴とする、
協調して動作する再生デバイスを手段として再生される、暗号化情報信号を再生するための使用認証を照合し、かつある使用認証が利用可能である場合に、復号された情報信号を供給するための、装置。
【請求項２】
前記照合手段が、再生された暗号化情報信号に含まれており、上記再生された暗号化情報信号のための使用認証を割り当てることを許可されている使用認証割り当てデバイスを特定する、イネーブル情報を読み出して供給し、かつ、
上記コミュニケーション手段が、上記イネーブル情報により特定される使用認証割り当てデバイスに、使用認証要求情報を供給することを特徴とする、特許請求の範囲第１項記載の装置。
【請求項３】
受信手段が、ある放送局により供給される暗号化された情報信号であって、上記暗号化情報信号のための、使用認証を割り当てることを許可された、一つの使用認証割り当てデバイスを特定するイネーブル情報を含んでいる暗号化情報信号を受信するために配設され、かつ、
インターフェース手段が、上記暗号化された情報信号を記録するために上記インターフェース手段と協調する記録再生デバイスに、上記イネーブル情報を含むある暗号化情報信号を供給するために配設されていることを特徴とする、特許請求の範囲第２項記載の装置。
【請求項４】
上記コミュニケーション手段は、イネーブル情報により特定される、使用認証割り当てデバイスからのコネクションセットアップ情報を記憶することが出来る、メモリ手段を含み、かつ、
そのコミュニケーション手段は、与えられたイネーブル情報を含む、再生された暗号化情報信号のための使用認証が存在しない場合は、上記メモリ手段に記憶される、与えられたイネーブル情報により特定される、使用認証割り当てデバイスに使用認証要求情報を供給するための、コネクションセットアップ情報を手段として、一つのデータリンクをセットアップし、上記データリンクを経由して、再生された暗号化情報信号のための、使用認証を受信することを特徴とする、特許請求の範囲第２項記載の装置。
【請求項５】
上記コミュニケーション手段が、使用認証割り当てデバイスに、再生された暗号化情報信号を特定する使用認証要求情報を供給し、かつ、使用認証割り当てデバイスから、使用認証要求情報に依存する鍵情報を受信することを特徴とする、特許請求の範囲第１項記載の装置。
【請求項６】
演算手段が、再生された暗号化されていない情報信号をデコードするために配設されており、その手段は同時に尋問手段の一部を構成し、かつ上記演算手段は前記コミュニケーション手段に、使用認証が存在しないことによる再生された暗号化情報信号の不正な復号に特有の制御情報を供給することを特徴とする、特許請求の範囲第１項記載の装置。
【請求項７】
上記照合手段が、上記コミュニケーション手段に受信される第一の鍵情報を、使用認証割り当てデバイスから受信するとともに、上記再生された暗号化情報信号中に含まれる第二の鍵情報を受信するように配置されたキーステージを含み、かつ、
上記キーステージが、ある使用認証が利用可能な場合は、第一の鍵情報と第二の鍵情報とを一続きに処理して、再生された暗号化情報信号の正しい復号に適切な複合鍵情報を、復号手段に供給することを特徴とする、特許請求の範囲第１項記載の装置。
【請求項８】
再生された暗号化情報信号を受信するために配設され、ある使用認証が利用可能である場合に、再生された暗号化情報信号を正しく復号するために適切な鍵情報を供給する照合手段と、
鍵情報を受信するために配設され、適切な鍵情報が利用可能である場合に、再生された暗号化情報信号を復号する復号手段とを有する装置であって、
独立して使用認証を要求するための尋問手段を装備され、
使用認証が存在しない場合、暗号化された情報信号の再生を中断するために、インターフェース手段を経由して、再生デバイスにポーズ情報を供給する、制御手段が配設され、かつ、
上記制御手段は、次いで暗号化された情報信号のための使用認証が利用可能になった場合は、暗号化された情報信号の再生を継続するために、上記インターフェース手段を経由して、前記再生デバイスにポーズ終了情報を供給することを特徴とする、
協調して動作する前記再生デバイスを手段として再生される、暗号化情報信号を再生するための使用認証を照合し、かつある使用認証が利用可能である場合に、復号された情報信号を供給するための、装置。
【請求項９】
再生された暗号化情報信号を受信するために配設され、ある使用認証が利用可能である場合に、再生された暗号化情報信号を正しく復号するために適切な鍵情報を供給する照合手段と、
鍵情報を受信するために配設され、適切な鍵情報が利用可能である場合に、再生された暗号化情報信号を復号する復号手段と、
独立して使用認証を要求するための尋問手段と、
を有し、
前記復号手段はさらに、再生された情報信号が暗号化されているかを検出する検出手段として機能し、その検出に応じて、前記尋問手段が、前記再生された情報信号中で特定される使用認証割り当て手段から、自動的に独立して使用認証を要求する、
協調して動作する再生デバイスを手段として再生される、暗号化情報信号を再生するための使用認証を照合し、かつある使用認証が利用可能である場合に、復号された情報信号を供給するための、装置。
【請求項１０】
再生された暗号化情報信号を受信するために配設され、ある使用認証が利用可能である場合に、再生された暗号化情報信号を正しく復号するために適切な鍵情報を供給する照合手段と、
鍵情報を受信するために配設され、適切な鍵情報が利用可能である場合に、再生された暗号化情報信号を復号する復号手段とを有する装置であって、
受信した再生された暗号化情報信号のための使用認証が存在しない場合に、使用認証割り当て手段から、自動的に独立して使用認証を要求するための尋問手段を装備されていることを特徴とする、
協調して動作する再生デバイスを手段として再生される、暗号化情報信号を再生するための使用認証を照合し、かつある使用認証が利用可能である場合に、復号された情報信号を供給するための、装置。
【発明の詳細な説明】
技術分野
本発明は、再生された暗号化情報信号を受信するように配置され、使用認証が利用可能である場合にはその再生された暗号化情報信号を正しく復号化するのに適した鍵情報を供給するように工夫された照合手段と、その鍵情報を受信するように配置され、適切な鍵情報が利用可能である場合にはその再生された暗号化情報信号を復号化するように工夫された復号化手段とからなり、その装置と共同して動作するように工夫された、再生デバイスを手段として再生された再生暗号化情報信号のための、又使用認証が利用可能である場合には復号化した情報信号を供給するための、使用認証を照合するための装置に関するものである。
背景技術
冒頭の段落に定義されたような型の装置は、例えば国際特許出願番号第９６／０５７００の公報等でよく知られている。いわゆるセットトップボックスにより構成された、そのような公知の装置においては、照合手段は再生された暗号化情報信号内に含まれた使用証明情報を決めることができる。そのような使用証明情報が存在する場合には、その再生された暗号化情報信号のための使用認証が得られる。使用証明情報は、その再生された暗号化情報信号を復号化するための復号化手段に供給することが出来るような鍵情報を含んでいる。再生された復号情報信号は、上記公知の装置に接続可能なるテレビジョンセット等の手段により表示することが出来る。
上記のような公知の装置は、使用認証の場合には、復号された情報信号の再生機会の数と長さを記載する使用情報を記録するように工夫されている。さらに、あるデータリンクを手段として、上記の公知の装置は、ある使用権尋問デバイスを構成する放送局に接続される。公知の装置を手段として記録された、特徴のある使用情報を尋問することにより、その使用権尋問デバイスは、その再生デバイスにより再生された暗号化された有料サービスの情報信号が何回及びどのくらいの時間その公知の装置で既に暗号化されたか、結果的にその公知の装置のユーザーにより用いられたか、を決定することができる。通常繰り返される、有料サービスの情報信号の再生に対する課金は、それを特有の使用情報に基づいて実行される。
しかしながら、上記の公知の装置については、暗号化された情報信号の正しい復号を可能にし、上記の公知の装置の正しい動作に必要な情報である、再生された暗号化情報信号内に暗号化された使用証明情報の存在が、認証されていない人により、既に復号された情報信号を含む違法なコピーを作成するために用いられるようになった。復号された情報信号を含む記録媒体が、認証がない人によって販売され、従って放送局に実質的な経済的損失が結果として生じている。
さらに、上記の公知の装置で記録された特有の使用情報が、ある使用権尋問デバイス手段により尋問された場合には、その使用権尋問デバイス手段が再生されることにより実行され、料金の徴収がそれに対してなされるその有料のサービス情報信号による、ある公知の装置があるのかないのか、又あるとすればどこにあるのかということが、ある使用権尋問デバイスには当初判らない、という問題が生じている。これが有料のサービス情報信号の再生の料金の徴収を、かなり複雑にしている。
加えて、認証のない人により、上記公知の装置により記録された特有の使用情報が変更されることを、禁止することは不可能であることが、さらに料金の徴収を複雑にしている。
さらに、公知の装置については、一方では、上記公知の装置手段により記録された特有の使用情報を尋問することが、比較的長期の時間間隔では、その公知の装置のユーザーに対し結果として料金の額が結果的に不確かになり、他方では、上記公知の装置手段により記録された特有の使用情報を尋問することが、比較的短期の時間間隔であった場合は、その放送局に対し、結果として比較的高価な出費を必要とすることが判ってきた。
発明の開示
本発明の目的は、有料のサービス情報信号の再生に対する料金決定の操作が実質的に除外されているが、しかし一方では放送局にとって高度な柔軟性と低廉な費用で料金の決定を可能にするような手段により、上記で言及した諸問題を解決し、冒頭の段落で定義された改良された型の装置を提供することである。本発明によれば、この目的は使用認証を独立して要求する尋問手段を装備した装置において、冒頭で定義された型の装置により達成される。このようにして、必要なときには、ある使用認証に対する独立した要求が出来るようになっている、本発明による装置を手段として、簡単な方法で達成される。ある使用認証が基礎とする鍵情報の受信に際して、本発明による装置を手段として、ある再生された暗号化情報信号が復号されることができるようになっている。従って認証のない人による操作は、特有の課金情報が使用認証要求情報の受信の際に、使用認証割り当てデバイス内で、独占的に生成されるので、ほぼ完全に禁止される。さらに、本発明による装置のユーザーに対する使用料の課金は、比較的短期の時間間隔で遂行することができ、又使用認証割り当てデバイスについては、特に低廉な出費で実施されることができる。
本発明による装置は、特許請求の範囲の第１請求項で定義されている特有の特徴を有しているので、もしさらに特許請求の範囲の第２請求項で定義されている施策が採用されたならば、有益であることが認められる。実際に、そのような具体例が特に信頼性があり、かつ複雑ではなく、比較的低廉なコストで実現されうることが認められる。
本発明による装置は、特許請求の範囲の第２請求項で定義されている特有の特徴を有しているので、もしさらに特許請求の範囲の第３項で定義されている施策が採用されたならば、有益であることが認められる。この方法では、与えられた有料のサービス情報信号に対する使用認証要求情報が、使用認証割り当てデバイスに供給されることが出来るようになっており、その使用認証割り当てデバイスは、この与えられた有料のサービス情報信号に対して使用認証を割り当てることができる。それに加えて、再生された暗号化情報信号を復号するために必要であり、使用認証の受信に際してこの装置に伝達される鍵情報は、イネーブル情報により特定される、使用認証割り当てデバイス内にのみ蓄えられる。
本発明による装置は、特許請求の範囲の第３請求項で定義されている特有の特徴を有しているので、もしさらに特許請求の範囲の第４項で定義されている施策が採用されたならば、有益であることが認められる。これは、放送局から伝達され、かつ本発明による装置により受信される暗号化情報信号は、使用認証を割り当てるためにイネーブルされた使用認証割り当てデバイスを特定するイネーブル情報を含んでおり、暗号化された情報信号を記憶するための、記録再生デバイスに供給されることができるという優位性を有している。この結果として、複数の放送局からの有料のサービス情報信号の再生に対する料金の決定は、唯一の使用認証割り当てデバイス手段により遂行されることが出来る。
本発明による装置は、特許請求の範囲の第３請求項で定義されている特有の特徴を有しているので、もしさらに特許請求の範囲の第５項で定義されている施策が採用されたならば、有益であることがさらに認められる。複数の使用認証割り当てデバイスの接続セットアップ情報が記憶されることができ、かつ特に簡単な方法で極めて小さい遅延時間のみで、使用認証要求情報がデータリンクを経由して、使用認証割り当てデバイスに供給されることが出来るという利点を有する。
本発明による装置は、特許請求の範囲の第２請求項で定義されている特有の特徴を有しているので、もしさらに特許請求の範囲の第６項で定義されている施策が採用されたならば、有益であることが認められる。これは、使用認証要求情報をベースにして、どの有料のサービス情報信号をこの装置のユーザーがプレイしたいのか、使用認証割り当てデバイスが検出することができるという利点を有する。この結果として、料金の決定は特に柔軟な方法で可能となる。特許請求の範囲の第６項に定義されている施策は、特許請求の範囲の第３項、第４項及び第５項に定義された特有の特徴を有する、本発明による装置に同様都合よく適用されることができることが留意されなければならない。
本発明による装置は、特許請求の範囲の第２請求項で定義されている特有の特徴を有しているので、もしさらに特許請求の範囲の第７項で定義されている施策が採用されたならば、有益であることが認められる。これは、再生された有料のサービス情報信号のための使用認証の有り無しが、特に簡単な方法で検出されることが出来るという利点を有する。特許請求の範囲第７項に定義されている施策は、特許請求の範囲の第３項、第４項、第５項及び第６項に定義された特有の特徴を有する、本発明による装置に同様都合よく適用されることができることが留意されなければならない。
本発明による装置は、特許請求の範囲の第２請求項で定義されている特有の特徴を有しているので、もしさらに特許請求の範囲の第８項で定義されている施策が採用されたならば、有益であることが認められる。第一の鍵情報と第二の鍵情報からなる鍵情報が用いられている結果として、認証のない人による操作に対する特に高度な防御が、本発明による装置で達成されることが出来る。そのような暗号システムは、例えば、ディジタルビデオ放送規格に従う転送の過程に用いられる。特許請求の範囲第８項に定義されている施策は、特許請求の範囲の第３項、第４項、第５項、第６項及び第７項に定義された特有の特徴を有する、本発明による装置に同様適用されることができることが留意されなければならない。
本発明による装置は、特許請求の範囲の第１請求項で定義されている特有の特徴を有しているので、もしさらに特許請求の範囲の第９項で定義されている施策が採用されたならば、有益であることが認められる。これには、使用認証割り当てデバイスからの使用認証が現れるまで有料のサービス情報信号の再生は中断され、その装置のユーザーは、従ってこの信号の再生中に有料のサービス情報信号のある部分をスキップすることはないという利点がある。特許請求の範囲第８項に定義されている施策は、特許請求の範囲の第２項、第３項、第４項、第５項、第６項、第７項及び第８項に定義された特有の特徴を有する、本発明による装置に同様適用されることができることが留意されなければならない。
上記で言及した態様及び本発明のその他の態様は、実施例により以降で記述される具体例から明らかになり、この具体例に基づいて明瞭にされる。
本発明は以下に、図に示され、かつ実施例により与えられた具体例を参照してさらに詳細に記述されるが、本発明はその具体例に限定されることはない。
【図面の簡単な説明】
第１図は、それに対して暗号化された有料のサービス情報信号が適用されることができ、使用認証が存在しないときには情報信号に対して独立してそのような使用認証を要求するように構成された、本発明による装置を、ブロック図の形式での図式的表現を示している。
発明を実施するための最良の形態
第１図は、再生デバイス手段により再生され、料金を支払うことでその情報信号の利用が可能になるため暗号化されている、ある有料のサービス情報信号Ｉのための使用認証を照合するように構成された、いわゆるセットトップボックスにより形成した装置１を示している。ある情報信号Ｉは、例えば記録再生デバイスを形成するＤＶＨＳビデオレコーダー２により、又は再生デバイスを形成するＤＶＤ装置３により再生されることが出来る。使用認証が存在する場合には、装置１は復号された情報信号Ｉを、テレビジョンセットに供給するように工夫される。ある使用認証は、その再生デバイスにより再生された情報信号が暗号化されていないという事実により、与えられることが出来る。ある再生された暗号化有料サービス情報信号Ｉのためのある使用認証は、その暗号化情報信号Ｉをうまく復号するように適合した鍵情報Ｓの存在により与えられる。適合した鍵情報Ｓは、装置１内に記憶されることも出来るし、又は以降でより詳細に記載される、一つ又はそれ以上の使用認証割り当てデバイスを含んでいる、使用認証割り当て手段５により受信されることが出来る。
上記のＤＶＨＳビデオレコーダー２は、再生ボタン７と記録ボタン８を含んでいるエントリー手段６からなる。再生ボタン７を働かせることにより、上記のＤＶＨＳビデオレコーダー２は、一般的によく知られた方法で、ＤＶＨＳビデオレコーダー２がＤＶＨＳ規格に従い、ある磁気テープ９上に記録されたディジタル情報信号Ｉを再生するように工夫された状態で再生モードにセットされることが出来る。再生された情報信号Ｉは、動作しているコネクション１０を経由して、第一のインターフェース手段１１に適用されることが出来る。その後上記第一のインターフェース手段１１は、バス規格ＩＥＥＥ１３９４に従う一般的に知られたデータバスを経由して、情報信号Ｉとコントロール信号ＳＴを転送するように工夫される。再生モード中に再生された情報信号Ｉは、バスのコネクション１２を経由して、第一のインターフェース手段１１から、装置１の第二のインターフェース手段１３に供給されることが出来る。
上記のＤＶＤ装置３は、再生ボタン１５を含むエントリー手段１４を含んでいる。再生ボタン１５を働かせることにより、上記のＤＶＤ装置３は、一般的によく知られた方法で、ＤＶＤ装置３がＤＶＤ規格に従い、あるディジタルバーサタイルディスク（ＤＶＤ）上に記録された、ディジタル情報信号Ｉを再生するように工夫される状態で再生モードにセットされることが出来る。再生モード中に再生された情報信号Ｉは、動作しているコネクション１７、上記ＤＶＤ装置３の第三のインターフェース手段１８及びバスのコネクション１２を経由して、装置１の第二のインターフェース手段１３に供給されることが出来る。
上記装置１は、第２のインターフェース手段１３から再生された暗号化情報信号Ｉを受信するように配設された情報信号入力端子２０を有する、照合手段１９を含んでいる。上記照合手段手段１９は、ＰＩＤセレクターとして知られる演算ステージ２１とキーステージ２２を含んでいる。
ある再生された暗号化情報信号Ｉは、情報信号入力端子２０から演算ステージ２１に供給されることが出来る。ＩＳＯ／ＩＥＣ１３８１８−１規格に従うある再生された情報信号Ｉは、各々が１８８バイトの連続した情報信号ブロックにより構成されている。これらの情報信号ブロックは、複数のビデオチャンネル及び音声チャンネルと、ビデオチャンネル又は音声チャンネル用の付加情報を同様に供給することが出来る。再生された暗号化情報信号Ｉは、イネーブル情報Ｅを含むが、それは付加情報を構成している。イネーブル情報Ｅは、使用認証割り当て手段５の使用認証割り当てデバイスを確認するが、そのデバイスは、イネーブル情報Ｅを含む、有料のサービス情報信号Ｉに対して使用認証を割り当てるために、イネーブル又はオーソライズされている。
上記演算ステージ２１は、それを経由して入力手段２６からのチャンネル制御情報Ｋが演算ステージ２１に加えられることが出来る、制御入力２３を有しており、その入力手段２６は、アップボタン２４とダウンボタン２５を含んでいる。上記アップボタン２４又はダウンボタン２５を働かせることにより、再生された暗号化情報信号Ｉ中に含まれている、あるビデオチャンネルとそれと連携する音声チャンネルが、選択されることが出来る。選択されたビデオチャンネルとそれに連携する音声チャンネル及びこれらの二つのチャンネルと同様に連携する付加情報は、演算ステージ２１から演算ステージ２１の情報信号出力２５へ、情報信号ブロックの形式で適用されることが出来る。上記選択されたビデオチャンネル及びそれに伴う音声チャンネルと連携するイネーブル情報Ｅは、演算ステージ２１のイネーブル出力２８に適用されることが出来る。
再生された情報信号Ｉがある有料のサービス情報信号Ｉであり、そのために暗号化されている場合には、再生された情報信号Ｉは、スクランブル、即ち情報信号ブロックのタイムシフトにより暗号化されている。再生された暗号化情報信号は、またＤＶＢ規格でＥＣＭ情報として知られるさらに追加された情報である、第二の鍵情報Ｓ２を含んでいる。第二の鍵情報Ｓ２は、スクランブルされた、即ちタイムシフトされた、上記情報信号ブロックをどうやって正しい配列に復旧させるか、言い換えればどうやってそれらを復号させるか、に関する情報を包含している。しかしながら、そのような第二の鍵情報Ｓ２は、また同様に暗号化されているもので、ＤＶＢ規格ではＥＭＭ情報として知られており、上記第二の鍵情報Ｓ２を復号するために用いられている第一の鍵情報Ｓ１と関連して、再生された暗号化情報Ｉを復号するために適した、複合鍵情報Ｓを構成するのみである。認証を持たない人による、ある有料のサービス情報信号Ｉの認証されていない再生に対しての、実際的な防御を実行するために、上記第二の鍵情報Ｓ２は、短期の時間間隔で変更される。上記第一の鍵情報Ｓ１は、普通は長期の時間間隔で変更され、ある情報信号Ｉ中の付加情報として転送される。
ある会員証カード２９が、キーステージ２２に挿入されることが出来るが、そのカードはいわゆるスマートカードにより構成されており、その内部に第一の鍵情報Ｓ１が、会費の支払いに応じて記憶されることが出来る。上記会員証カード２９の所有者による会費の支払いが行われたときには、それに応じてその会員証カード２９は、その会員証カード２９の所有者が暗号を復号して、新しい第一の鍵情報Ｓ１がその会員証カード２９に記憶された以後数週間の間、その有料のサービス情報信号を使用することを認める。
第二の鍵情報Ｓ２が、上記演算ステージ２１からキーステージ２２に適用されることが出来る。上記キーステージ２２は会員証カード２９と共同して会員証カード２９に記憶され、最終的に第一の鍵入力３０又は第二の入力３１に適用された第一の鍵情報Ｓ１を手段として、第二の鍵情報Ｓ２を復号することが出来る。使用認証の場合には、上記会員証カード２９は、再生された暗号化情報信号Ｉ中に含まれている、第二の鍵情報Ｓ２のための適宜の第一の鍵情報Ｓ１を記憶しており、その結果として上記キーステージ２２は、第一の鍵情報Ｓ１と第二の鍵情報Ｓ２とを結合して処理し、再生された暗号化情報信号Ｉを正しく復号するために適した複合鍵情報Ｓを供給することが出来る。この結果として、再生された暗号化情報信号Ｉは、照合手段１９の情報信号入力２０に適用されることが出来、ある使用認証の場合には、上記照合手段１９は再生された暗号化情報信号Ｉの正しい復号のための複合鍵情報Ｓを供給することが出来る。上記会員証カード２９に記憶された第一の鍵情報Ｓ１と、上記再生された暗号化情報信号Ｉ内に含まれた第二の鍵情報Ｓ２とにより構成された複合鍵情報Ｓを用意することによって、認証のない人による操作に対する特に高い防衛が本発明による装置で実行される。
上記複合鍵情報Ｓは、現在の場合いわゆるデスクランブラーにより構成される、復号手段３２に適用されることが出来る。さらに、上記演算ステージ２１の出力２７に現れるある再生された暗号化情報信号Ｉも復号手段３２に適用されることが出来る。情報信号ブロックのスクランブルにより暗号化されている、上記情報信号Ｉの復号化は、上記暗号化された情報信号Ｉの情報信号ブロックの正しいタイム配列への復帰、即ちデスクランブルにより実行される。
もし再生された情報信号Ｉが料金不要のものであり、従って暗号化されていない情報信号Ｉである場合は、復号手段３２に適用された情報信号Ｉは、その復号手段３２のある出力３３に直接転送されることが出来る。しかしながら、もし上記演算ステージ２１の情報信号出力２７で利用可能な再生された暗号化情報信号Ｉが有料のサービス情報信号Ｉである場合には、結果的にそれは暗号化されており、上記復号手段は暗号化された情報信号Ｉの復号を実行する。使用認証の場合には、暗号化された情報信号Ｉの正しい復号のために適した復号鍵情報Ｓを受信するのみである復号手段３２は、使用認証が利用可能である場合には出力３３上に復号された情報信号Ｉを生成するのみである。しかしながら、使用認証が利用可能ではなく、上記復号手段３２が暗号化された情報信号Ｉの正しい復号のために適した複合鍵情報Ｓを受信しない場合には、復号された情報信号Ｉは現れず、単に不正確に復号された、即ち実際のところまだ暗号化されている情報信号Ｉが、復号手段３２の出力３３に出てくることになる。
上記復号手段３２の出力３３において利用可能なある情報信号Ｉは、現在の場合には、使用認証を独立して要求するために上記尋問手段の一部を同様に構成する、上記演算手段３５内に配設された、デマルチプレクサ３４に適用されることが出来る。上記デマルチプレクサステージ３４は、選択されたビデオチャンネルに対応し、上記情報信号Ｉに含まれているビデオ情報信号ブロックを第一のデコーダー手段３６に供給し、かつ選択されたオーディオチャンネルに対応し、上記情報信号Ｉに含まれているオーディオ情報信号ブロックを第二のデコーダー手段３７に供給するように工夫されている。
上記第一のデコーダー手段３６は、ＭＰＥＧデコーダーにより構成され、ＭＰＥＧ規格に従ってエンコードされたビデオ情報信号ブロックをデコードするように工夫されている。あるデコードされたディジタルビデオ情報信号は、上記第一のデコーダー手段３６から、上記装置１のビデオ出力３９にアナログのビデオ情報信号を供給可能なディジタル−アナログコンバーター３８に適用されることが出来る。上記第一のデコーダー手段３６は、もし上記第一のデコーダー手段３６がビデオ情報信号ブロックのデコードができない場合には、そこから制御情報ＳＩが利用可能である、制御情報出力４０を有している。これは、もし使用認証が見あたらないために、復号されないで不正確に復号された、即ち暗号化されたままの情報信号が現れ、その結果として不正確に復号された、即ち実際には暗号化されたままのビデオ情報信号ブロックが第一のデコーダー手段３６に適用された場合である。
上記第二のデコーダー手段３７は、ＭＰＥＧデコーダーとＡＣ−３デコーダーとを含んでおり、ＭＰＥＧ規格又はＡＣ−３規格に従ってエンコードされた、オーディオ情報信号ブロックをデコードするように工夫されている。あるデコードされたディジタルオーディオ情報信号は、上記第二のデコーダー手段３７から、上記装置１のオーディオ出力４２にアナログのオーディオ情報信号を供給可能なディジタル−アナログコンバーターステージ４１に適用されることが出来る。
テレビジョンセット４は、上記ビデオ出力３９とオーディオ出力４２に接続されており、ある情報信号Ｉを再生するように工夫されている。
本発明に従う上記の装置１は、ある使用認証を独立して要求するための、尋問手段を含んでいる。これらの尋問手段は、使用認証のない場合に再生された暗号化情報信号のための制御情報ＳＩの存在により特徴づけられ、少なくとも使用認証割り当て手段５の使用認証割り当てデバイスにデータリンクを設定することが出来る連絡手段４３を含んでいる。この目的のために、上記第一のデコーダー手段３６の制御情報出力４０上で利用可能な制御情報ＳＩは、上記連絡手段４３のある制御ユニット４４に適用されることが出来る。さらに、上記演算ステージ２１のイネーブル出力２８上で利用可能なイネーブル情報Ｅは、上記制御ユニット４４に適用されることが出来る。上記連絡手段４３は、さらに、制御ユニット４４に接続されたメモリ手段４５を含み、イネーブル情報Ｅにより特徴づけられたデバイスである、上記使用認証割り当て手段の使用認証割り当てデバイス５の接続セットアップ情報を記憶するように工夫される。接続セットアップ情報は、以下でより詳しく記述されるように、ある使用認証割り当てデバイスの一つの電話番号、無線通信ネットワーク内で与えられた一つのアドレス又はあるケーブルシステムの与えられた一つのリバースチャンネルにより構成されることが出来る。
上記使用認証割り当て手段５の使用認証割り当てデバイスとの連絡のために、上記の連絡手段４３は、第一のコミュニケーションステージ４６と、第二のコミュニケーションステージ４７及び第三のコミュニケーションステージ４８とを含んでいる。現在の場合は、上記第一のコミュニケーションステージ４６は、電話回線４９により形成されるあるデータリンクを設定するように工夫される、いわゆるモデムにより構成されている。電話によるリンク４９をセットアップするために、上記第一のコミュニケーションステージ４６は同時に使用認証割り当て手段５の第一の使用認証割り当てデバイス５１を構成している、ある料金徴収デバイスの電話番号形式の接続セットアップ情報を受信するように配設された入力５０を有している。さらに別の電話番号の形式の接続セットアップ情報が、それによって別の電話回線のリンク５２が上記第一のコミュニケーションステージ４と、同時に使用認証割り当て手段５の第二の使用認証割り当てデバイス５３を構成する第一の放送局との間にセットアップされる、上記第一のコミュニケーションステージ４６の入力５０に適用されることが出来る。上記第一の放送局は、ＴＶ番組を衛星とのリンク５４を経由して衛星により暗号化された又は暗号化されない情報信号Ｉの形式で転送するように工夫されている。さらに、上記第一の放送局は、その第一の放送局により転送され、ある記録再生デバイス内で記録されて後日に再生することが出来る有料テレビジョン番組のための使用認証を発行することを許可され又は権限づけられている。
無線通信ネットワーク内のあるアドレスの形式の接続セットアップ情報は、上記第二のコミュニケーションステージ４７の一つの入力５４に適用されることが出来る。ある無線通信ネットワーク内の上記のアドレスを用いて、上記第二のコミュニケーションステージ４７は、同時に上記使用認証割り当て手段５の第三の使用認証割り当てデバイス５７を形成する、ある第二の放送局とその第二のコミュニケーションコミュニケーションステージ４７との間を、短波リンク５６の形式の、あるデータリンクをセットアップするように工夫されている。この目的のために、上記第二のコミュニケーションステージ４７は、短波アンテナ５８に短波信号を供給することが出来る。ある放送局と一つのセットトップボックスとの間のそのような短波リンクは、「ワイヤレスケーブル」無線リンクとして知られている。上記第二の放送局５７は、上記短波リンク５６を経由して暗号化された又は暗号化されない情報信号ＩからなるＴＶ番組を転送するように工夫されており、上記第二の放送局５７は、その第二の放送局により転送され、ある記録再生デバイス内で記録され後日に再生することが出来る有料テレビジョン番組のための使用認証を割り当てることを、許可され又は権限づけられている。
第三のコミュニケーションステージ４８は、ケーブルテレビジョンのシステム５９を経由して、ある放送局と上記使用認証割り当て手段５の第四の使用認証割り当てデバイス６０を形成しているケーブルテレビジョンのサービスユニット６０に一つのデータリンクをセットアップするように工夫されている。この目的のために、上記第三のコミュニケーションステージ４８の一つの入力６１は、上記ケーブルテレビジョンのサービスユニットへの情報の転送のための、リバースチャンネルを特徴づける、チャンネル情報を受信するように配設されている。上記のケーブルテレビジョンのサービスユニットは、上記ケーブルテレビジョンシステム５９を経由して暗号化された又は暗号化されない情報信号ＩからなるＴＶ番組を転送するように工夫されており、そのケーブルテレビジョンのサービスユニットにより転送され、ある記録再生デバイス内で記録され後日に再生することが出来る有料テレビジョン番組のための使用認証を割り当てることを、許可され又は権限づけられている。
上記の第一と第二の電話番号と、無線通信ネットワーク内のアドレス及びチャンネル情報の全ての接続セットアップ情報は、上記の使用認証割り当て手段５の使用認証割り当てデバイス５１、５３、５７及び６０の内の一つに特有のイネーブル情報Ｅが現れた場合に、上記制御ユニット４４が適切な接続セットアップ情報を上記メモリ手段４５から読み出させるような方法で、メモリ手段４５内に記憶されている。このようにして読み出された接続セットアップ情報は、接続手段４３、即ち上記の装置１からイネーブル情報Ｅにより特定された使用認証割り当てデバイス５１、５３、５７又は６０へ、セットアップされるべき一つのデータリンクをイネーブルにする。上記の制御ユニット４４は、メモリ手段４５から読み出された接続セットアップ情報を、読み出されたコミュニケーションセットアップ情報の型式に依存して、第一のコミュニケーションステージ４６の入力５０、又は第二のコミュニケーションステージ４７の入力５５、又は第三のコミュニケーションステージ４８の入力６１へ、供給するように工夫されている。電話番号の形式の接続セットアップ情報は、その後上記第一のコミュニケーションセットアップステージ４６に供給され、無線のコミュニケーションネットワーク内のアドレスの形式の接続セットアップ情報は、上記第二のコミュニケーションセットアップステージ４７に供給され、チャンネル情報の形式の接続セットアップ情報は、上記第三のコミュニケーションセットアップステージ４８に供給される。
ある暗号化された有料のサービス情報信号Ｉが、ＤＶＨＳビデオレコーダー２により、購入された録画済みのＤＶＨＳカセットから再生され、かつ有料のサービス情報信号Ｉ内に含まれている第二の鍵情報Ｓ２の復号のために要求される第一の鍵情報Ｓ１がキーステージ２２の会員証カード内に記憶されていないときには、使用認証は存在しない。購入された又は無料で配布される、事前に録画されたＤＶＨＳカセットに記録された、暗号化された有料のサービス情報信号Ｉの再生に対しての料金の徴収が、上記第一の使用認証割り当てデバイス５１により構成される料金徴収デバイスに移転されている、録画済みのＤＶＨＳが工場において製造された時、このＤＶＨＳ上に記録された情報信号は、この第一の使用認証割り当てデバイス５１を特定するイネーブル情報を含んでいる。
再生ボタン７を動作させることにより、ＤＶＨＳビデオレコーダー２は、そのＤＶＨＳビデオレコーダー内のＤＶＨＳカセットから暗号化された有料のサービス情報信号を再生するための、再生モードにセットされることが出来る。再生された暗号化情報信号Ｉは、情報信号入力２０に、又最終的に照合手段１９の演算ステージ２１に第一のインターフェース手段１１と、バスのコネクション１２及び第二のインターフェース手段１３を経由して適用されることが出来る。再生された暗号化情報信号Ｉ中に含まれているイネーブル情報Ｅは、上記演算ステージ２１により検出されて、イネーブル出力２８に適用される。装置１のユーザーは第１図には示されていない方法で、第一の使用認証割り当てデバイス５１で使えるようになっている会員証カード２９を挿入するように催促される。
もしその会員証カード２９が、正しい第一の鍵情報Ｓ１を含んでおらず、従って予め録画されたそのＤＶＨＳカセットから、暗号化された情報信号Ｉの再生をするための使用認証がない場合には、復号手段３２は出力３３上に復号された情報信号Ｉを生成することが出来ない。従って、再生された暗号化情報信号Ｉ中のビデオ情報信号ブロックは正しくデコードされることが出来ず、その結果として第一のデコーダー手段３６は制御ユニット４４に制御情報ＳＩを供給する。演算ステージ２１により検出される、このステージのイネーブル出力２８上で利用可能なイネーブル情報Ｅは、同様に制御ユニット４４に供給される。上記制御ユニット４４は、しかる後にイネーブル情報Ｅにより特定された、第一の使用認証割り当てデバイス５１に電話によるリンク４９をセットアップするために、メモリ手段４５から第一の電話番号を読み出し、この第一の電話番号を第一のコミュニケーションステージ４６に転送する。モデムにより構成されている上記第一のコミュニケーション手段４６は、第一の使用認証割り当てデバイス５１の第一の電話番号をダイヤルし、その結果として電話によるリンク４９をセットアップする。この電話によるリンク４９がうまくセットアップされた後、上記制御ユニット４４は第一のコミュニケーションステージ４６と、第一の電話によるリンク４９を経由して、第一の使用認証割り当てデバイス５１に使用認証要求情報を供給することが出来る。
使用認証供給情報の補助を得て、料金徴収デバイスにより構成されている第一の使用認証割り当てデバイス５１は、ここにあるこの会員証カード２９の所有者の会員証を経由して第一の使用認証割り当てデバイス５１が料金を徴収することが出来るかどうかをチェックする。例えば再生されるべき情報信号Ｉが記録された日付が含まれている上記使用認証要求情報に基づいて、第一の使用認証割り当てデバイス５１は、再生された暗号化有料のサービス情報信号Ｉを正しく復号するのに適切な複合鍵情報Ｓを形成するために、有料のサービス情報信号Ｉ中に含まれている第二の鍵情報Ｓ２と共に必要な第一の鍵情報Ｓ１を決定することが出来る。もしその会員証カード２９の所有者からの料金徴収の可能性が上記第一の使用認証割り当てデバイス５１にあり、又もし第一の鍵情報Ｓ１が検出されれば、第一の使用認証割り当てデバイス５１は、第一の電話リンク４９と第一のコミュニケーションステージ４６を経由して、コミュニケーションステージ４３の制御ユニット４４へ、第一の鍵情報Ｓ１を転送することにより、使用認証を与えることが出来る。上記制御ユニット４４において第一の鍵情報Ｓ１が利用可能である時は、制御ユニット４４は第一の鍵情報Ｓ１をキーステージ２２の第一の鍵入力３０に適用することが出来る。第一の鍵情報Ｓ１が上記キーステージ２２に現れれば、上記キーステージ２２は予め会員証カード２９に記憶された第一の鍵情報Ｓ１に、上記キー入力３０で受信した鍵情報Ｓ１を上書きすることが可能になる。上記キーステージ２２は、再生された暗号化有料のサービス情報信号Ｉを正しく復号するように適切な複合鍵情報Ｓを復号手段３２に供給するように工夫されている。結果として、上記復号手段は複合鍵情報Ｓの援助を得て再生された暗号化情報信号Ｉを復号することができ、かつ上記演算手段３５は再生された情報信号Ｉを、ビデオ出力３９で利用可能なビデオ情報信号とオーディオ出力４２で利用可能なオーディオ情報信号とに演算処理することが出来る。
このようにして、本発明による装置１は、独立して使用認証を要求するために好適である。使用認証を表している第一の鍵情報Ｓ１を受信すると、この装置１は再生された情報信号Ｉを復号する事が可能になる。認証を持たない人による操作は、有料のサービス情報信号の使用事態の数を特定する特有の料金情報が、使用認証要求情報の受領に応じて第一の使用認証割り当てデバイス５１で生成され、かつそのために上記装置１のユーザーにより不法に変更されることが出来ないので、ほぼ完全に制限し除外することが出来る。さらに、本発明による装置１のユーザーへの課金は、第一の使用認証割り当てデバイス５１、即ち使用認証割り当て手段を用いて、比較的短期間に、特に低廉な費用で、実行されることが出来る。これにより上記第一の使用認証割り当てデバイス５１は、多数の録画済みＤＶＨＳカセット及びその他のディジタルの記録媒体に対する料金の徴収を扱うことが出来る。一般に適用できる料金徴収のこの利点は、特に各々の有料のサービス情報信号Ｉに含まれているイネーブル情報Ｅが、使用認証を割り当てることを認められ権限づけられているそれぞれの使用認証割り当てデバイスを特定することにより達成することが出来るものである。
さらに、再生された暗号化有料のサービス情報信号Ｉの正しい復号までデータリンクをセットアップし使用認証要求情報を供給して使用認証を得ることは、極めて短期の時間内に実行されることが出来るので、その結果として、本発明による装置１のユーザーは有料のサービス情報信号の再生までごく短い時間待つだけでよいことは、極めて有用である。
この料金徴収のさらなる利点は、ＤＶＨＳや、ＤＶＤ又はＣＤ−ＲＯＭのような事前に記録されたデータ担体の製造者が、消費者に対し事前に記録されたデータ担体を与えることが出来、その事前に記録されたデータ担体が再生される都度の料金徴収を通じて、利益を得ることが出来ることである。
第二の実施例では、暗号化された有料のサービス情報信号ＩはＤＶＤ装置３を手段としてＤＶＤ１６から再生されることが出来る。再生された暗号化情報信号Ｉに含まれているイネーブル情報Ｅは、ある使用認証を割り当てる権限を与えられた第二の使用認証割り当てデバイス５３として、第一の放送局を特定する。既に説明したように、制御情報ＳＩの発生により特徴づけられている使用認証のない場合は、コミュニケーション手段は電話によるリンク５２により形成され、そのイネーブル情報Ｅにより特定される第一の放送局にデータリンクをセットアップすることが出来る。上記のコミュニケーション手段４３は、さらに電話によるリンク５２を経由して上記第一の放送局に使用認証要求情報を供給するために、かつ電話によるリンク５２を経由して第一の放送局から、再生された暗号化情報信号Ｉのための使用認証を受信するために工夫されている。使用認証を示す第一の鍵情報Ｓ１が受信された後、その第一の鍵情報Ｓ１が会員証カード２９に記憶されてから、暗号化された有料のサービス情報信号Ｉは復号手段３２において正しく復号されることが出来るようになり、テレビジョンセット４を手段として再生できるようになる。
第三の実施例では、再生された暗号化有料のサービス情報信号Ｉに含まれ、かつ第１図には示されていないコンピューターのハードディスクドライブから再生されるイネーブル情報Ｅが、再生された暗号化有料のサービス情報信号Ｉに対し第三の使用認証割り当てデバイス５７として第二の放送局を特定する。この場合には使用認証要求情報は、第二のコミュニケーションステージ４７と短波アンテナ５８を経由して、短波リンク５６を手段として制御ユニット４４から第二の放送局に転送される。上記第二の放送局により割り当てられた使用認証の場合には、この使用認証は短波によるリンク５６と短波アンテナ５８及び第二のコミュニケーションステージ４７を経由して上記制御ユニットに転送され、会員証カード２９内に記憶され、しかる後に再生された暗号化情報信号Ｉの正しい復号が可能になる。
別の実施例では、暗号化された有料のサービス情報信号Ｉに含まれ、ＤＶＤ装置３を手段としてＤＶＤから再生されたイネーブル情報Ｅは、ケーブルテレビジョンのサービスユニット、即ち第四の使用認証割り当てデバイス６０を特定する。この場合には、再生される有料のサービス情報信号を特定する使用認証要求情報は、チャンネル情報により特定されるリバースチャンネルを通して、ケーブルテレビジョンのシステム５９を経由してケーブルテレビジョンのサービスに転送される。そのケーブルテレビジョンのサービスユニットは、使用認証を現す第一の鍵情報Ｓ１を、ケーブルテレビジョンのシステム５９の同じチャンネル又は異なるチャンネルを通して、コミュニケーション手段４３に転送することが出来る。
このようにして本発明による装置１のコミュニケーション手段４３は、再生された暗号化情報信号Ｉを特定する使用認証要求情報を提供するように、かつ少なくとも一つの使用認証割り当てデバイスから、その使用認証要求情報に依存する第一の鍵情報Ｓ１を受信するように工夫されている。これは、使用認証要求情報に基づいて、どの有料のサービス情報信号Ｉが装置１のユーザーにより再生されるのか、各々の使用認証割り当てデバイスが検出することが出来る、という利点を生じる。このようにして、例えば、ＤＶＨＳビデオカセットに録画された特に人気のある映画に対しては、それほど人気のない映画よりも高い料金を課金する事が可能になる。さらに、再生される映画がその会員証カードの所有者により既に何度も再生されたか否かにより、課金される金額を依存させ、値段の割引を認めることが出来る。
上記の装置１はさらに、使用認証が存在しない場合に、第一のデコーダー手段の制御情報出力４０からの制御情報ＳＩが適用されることが出来る、制御手段６２を含む。上記の制御手段６２は、使用認証割り当てデバイスにより供給される第一の鍵情報Ｓ１が利用可能であるときに、上記の制御ユニット４４によりその情報が供給される制御ユニット４４からの使用認証情報ＷＢをさらに受信することが出来る。ＤＶＨＳビデオレコーダー２により再生されたある有料のサービス情報信号Ｉに対して、使用認証が存在しない場合、その不存在は制御情報ＳＩの発生により特徴づけられ、上記制御手段６２は、有料のサービス情報信号の再生を中断するために、第二のインターフェース手段１３と、バスのコネクション１２及び第一のインターフェース手段１１を経由して、ＤＶＨＳビデオレコーダー２にポーズ情報を供給ように工夫されている。加えて、もしその後、上記ＤＶＨＳビデオレコーダー２により再生される、ある有料のサービス情報信号Ｉに対する使用認証が存在すると判明したならば、その存在は使用認証情報ＷＢの発生により特徴づけられ、上記制御手段６２は第二のインターフェース手段１３と、バスのコネクション１２及び第一のインターフェース手段１１を経由して、ＤＶＨＳビデオレコーダー２にポーズの終了情報を供給し、そのＤＶＨＳビデオレコーダー２をプレイモードにセットするために、工夫される。同様のポーズ情報とポーズ終了情報が、任意の再生デバイス、即ちバスのコネクション１２を経由して第二のインターフェース手段１３に接続され、暗号化された情報信号Ｉを再生するＤＶＤ装置３等に適用されることが出来る。
このことは、ある有料のサービス情報信号Ｉの再生が、使用認証割り当てデバイスからの使用認証が利用可能になるまで中断され、上記装置１のユーザーは、有料のサービス情報信号Ｉが再生されたとき、そのいかなる部分の情報も引き続いて見られないということが起こらない、という利点を生じる。
上記の装置１はさらに、複数の放送局からの暗号化された、又は暗号化されていない情報信号Ｉを受信するための受信手段６３を含む。この目的のために、上記受信手段６３のチューナーステージ６４が、ケーブルテレビジョンのシステム５９を経由してケーブルテレビジョンのサービスユニット、即ち第四の使用認証割り当てデバイス６０からの、及び短波リンク５６と短波アンテナ５８を経由して、第二の放送局、即ち第三の使用認証割り当てデバイス５７からの情報信号Ｉを受信するように工夫されている。さらに、上記のチューナーステージ６４は、アンテナステージ６７に配設された地上波のアンテナ６８と、地上波のラジオによるリンク６６を経由して、第三の放送局６５からの情報信号Ｉを受信するように工夫されている。加えて、上記チューナステージ６４は、衛星放送のリンク５４とアンテナステージ６７の衛星放送用のアンテナ６９を経由して、第一の放送局５３から情報信号Ｉを受信することが出来る。
アップボタン２４又はダウンボタン２５の動作を通して起動されるエントリー手段により生成されることが出来るチャンネル制御情報Ｋは、チューナーステージ６４と、及び演算ステージ２１の制御入力２３へと適用されることが出来る。チャンネル制御情報Ｋに依存してチューナステージ６４で受信される情報信号Ｉは、照合手段１９の情報信号入力２０に適用される。情報信号入力２０に適用された情報信号Ｉは、演算ステージ２１に供給されることが出来る。これまでに既に説明したように、演算ステージにおいてアップボタン２４及びダウンボタン２５を手段として選択された、ビデオチャンネルとそれに関連するオーディオチャンネルの情報信号ブロックは、これらの２つのチャンネル中の情報と関連する付加情報、特に対応するイネーブル情報Ｅ及び第二の鍵情報Ｓ２と同様に、上記チャンネル制御情報Ｋに基づいて選択される。選択された情報は、情報信号出力２７において利用可能になる。情報信号出力２７上で利用可能な情報信号Ｉは、その信号がある有料のサービス情報信号Ｉであることができ、その故に暗号化されており、従って暗号化情報信号Ｉのための使用認証を割り当てることを許可されたある使用認証割り当てデバイスを特定するイネーブル情報信号Ｅを含んでいるものであるが、上記装置１の第二のインターフェース手段１３に供給されることが出来る。複数のビデオチャンネル及びオーディオチャンネルをこれら２つのチャンネルに関連する付加情報と共に選択し、これら全ての情報を上記ＤＶＨＳビデオレコーダー２を手段として記録することが出来ることを留意しなければならない。
ある放送局から受信された情報信号中に含まれている第一の鍵情報Ｓ１は、演算ステージ２１内で検出されることが出来、かつ会員証カード２９内に上記第一の鍵情報Ｓ１を記憶するために、キーステージ２２の第二の鍵入力３１に適用されることが出来る。
記録及び再生デバイスを構成する、上記ＤＶＨＳビデオレコーダー２のエントリー手段６の記録ボタン８を動作させることにより、ＤＶＨＳビデオレコーダー２は記録モードに設定されることが出来る。記録モードがアクティブにされると、上記ＤＶＨＳビデオレコーダー２は、バスのコネクション１２を経由して第二のインターフェース手段１３から第一のインターフェース手段１１に適用された情報信号Ｉを、動作用のコネクション１０を経由してあるＤＶＨＳカセットの磁気テープ９上に記録することが出来る。上記ＤＶＨＳビデオレコーダー２を手段として記録されたある暗号化された有料のサービス情報信号Ｉは、これまでに既に述べられたように、再生ボタン７の動作により起動される再生モードで再生されることが出来る。
このことは、ある放送局により発信された映画と、上記ＤＶＨＳビデオレコーダー２によりあるＤＶＨＳカセット上に記録された映画の双方に対し、その放送局が上記有料映画の各々の再生に対して課金することが出来る、という利点を生じる。
この点で、第三の放送局６５により供給される、有料のサービス情報信号Ｉに対する使用認証は、上記料金徴収デバイス、即ち第三の放送局６５により使用認証を割り当てことを許可されている、第一の使用認証割り当てデバイス５１により、許可されることが出来ることが留意されなければならない。
全ての使用認証割り当てデバイスが、それぞれの使用認証割り当てデバイスが使用認証を割り当てることを許可されかつ権限づけられている、全ての有料のサービス情報信号Ｉについての情報を記憶することが出来るメモリ手段を含んでいることが留意されるべきである。この情報は、他と同様使用認証要求情報に含まれており、再生されるべき情報信号Ｉを特定する特定情報を特に含んでいることが、留意されなければならない。さらに上記特定情報のために、関連する有料のサービス情報信号に対し課金されるべき金額を現す課金情報と同様に、暗号化された情報信号の復号のための関係する第一の鍵情報Ｓ１を記録することが出来る。
本発明による装置１が購入されるときには、メモリ手段４５には既にコネクションセットアップ情報が含まれていてもよいことが、留意されるべきである。さらに、ある新しい使用認証割り当てデバイスのためのコネクションセットアップ情報は、会員証カード２９がキーステージ２２に挿入されたときに、上記コネクションセットアップ情報をメモリ手段５５に記憶するために、第１図には示されていないコネクションを経由して、その情報が制御ユニット４４に供給されることが可能な、関連する会員証カード２９上に記録することが出来る。加えて、ある新しい使用認証割り当てデバイスは、上記コネクションセットアップ情報をメモリ手段４５内に記憶するために、あるデータリンクを経由して、対応するコネクションセットアップ情報を装置１に供給することが出来る。
コミュニケーション手段は、一つの使用認証割り当てデバイスを構成する、あるインターネットネットワークサーバーにデータリンクを設定するために、工夫されることが出来ることに留意するべきである。
さらに加えて、本発明による装置が又、直接ビデオレコーダー内部や、ＤＶＤ装置内又はテレビジョン受信機内に設けられることが出来ることが留意されるべきである。
実施例により、上記にこれまで記述されてきた具体例では、再生された暗号化情報信号のための、独立して使用認証を要求する尋問手段は、第一のデコーダー手段３６が、暗号化された情報信号及び暗号化されていない情報信号、又は復号された情報信号を検出するための検出手段として同時に機能する、コミュニケーション手段４３と演算手段３５を基本的に含んでいる。そのような尋問手段の構成は、実際には特に有益であることが認められる。しかしながら、本発明による装置は、代案として、別個に構成された尋問手段を含んでもよいことが留意されるべきである。そのような尋問手段は、例えば、エンコードされたビデオ情報信号ブロックをデコードするための第一のデコーダー手段が、同時に暗号化された情報信号又は暗号化されていない情報信号を検出するための検出手段としてはその中に用いられておらず、その替わりに暗号化された情報信号又は暗号化されていない情報信号を検出されることが出来る別個の検出手段が配設されている手段であってよい。第１図を参照して記述された本発明による装置以外の回路を有するコミュニケーション手段を伴う尋問手段を又同様に配設することも可能である。
【図１】
0004145362.tif 000002